(57)【要約】【課題】装置のアイテムがその公称電圧によって電力供給されないとき、装置のアイテムのＵＳＢインターフェースに対するＵＳＢ周辺装置の接続を検出する方法を提供すること。【解決手段】電子装置（１０）の通信インターフェース（２、３、５、８）に対する周辺装置（２３０）の接続を検出する方法、および関連する検出回路（８、２００）であり、通信インターフェースは、周辺装置の電源のための電圧電力ライン（Ｖ＿ＢＵＳ）を備え、電力ラインに対する公称動作電圧値の範囲内に含まれる公称電圧（Ｓ４）の印加のステップと、公称電圧値の閾値未満の残留電圧の存在下で、電力ライン上での、インターフェースに対する周辺装置（２３０）の接続の結果として生じる過渡的信号の検出（Ｓ２）のステップと、検出した過渡的信号に従う、電圧電力ラインに対する公称電圧の印加のステップとを含むことを特徴とする。【選択図】図１
2014139773.tif 000002
【特許請求の範囲】
【請求項１】
電子装置の通信インターフェースに対する周辺装置の接続を検出する方法であって、前記通信装置は、前記周辺装置の電源のための電圧電力ラインを備え、公称動作電圧値が前記電力ラインに関連付けられた、前記方法において、
前記電子装置による、前記電力ラインでの公称動作電圧の印加のステップと、
前記電子装置による、前記電力ラインに印加される前記公称動作電圧の取り消しステップと、
前記公称電圧値の閾値よりも低い残留電圧の存在下での、前記インターフェースに対する前記周辺装置の前記接続の結果として生じる過渡的信号の検出のステップと、
生成した前記制御信号に従う、前記電圧電力ラインに対する前記公称電圧の印加のステップと、
を含むことを特徴とする前記方法。
【請求項２】
前記通信インターフェースがユニバーサルシリアルバス規格と互換性があることを特徴とする、請求項１に記載の方法。
【請求項３】
前記残留電圧が専用電源回路によって生成されることを特徴とする、請求項１または２に記載の方法。
【請求項４】
前記閾値が、前記公称電圧の１０％以下であることを特徴とする、請求項１から３のいずれか一項に記載の方法。
【請求項５】
前記過渡的信号が前記残留電圧の電圧降下であることを特徴とする、請求項１から３のいずれか一項に記載の方法。
【請求項６】
電力を供給し、電子装置の通信インターフェースに対する周辺装置の接続を前記電子装置で検出する回路であって、前記通信インターフェースは、前記周辺装置の電源のための電圧電力ラインを備え、公称動作電圧値が、前記電力ラインに関連付けられた、電力を供給し、検出する前記回路において、
前記電子装置による、前記電力ラインに対する公称動作電圧の印加のための電圧発生機回路と、
前記公称電圧値の閾値よりも低い残留電圧の存在下での、前記インターフェースに対する前記周辺装置の前記接続の結果として生じる過渡的信号の検出回路と、
を備えることを特徴とする、電力を供給し、検出する回路。
【請求項７】
前記閾値が、前記公称電圧の１０％以下であることを特徴とする、請求項６に記載の電力を供給し、検出する回路。
【請求項８】
前記過渡的信号が前記残留電圧の電圧降下であることを特徴とする、請求項６または７に記載の電力を供給し、検出する回路。
【請求項９】
前記電圧電力ラインが、ユニバーサルシリアルバス規格と互換性のあるコネクタに印加されることを特徴とする、請求項６から８のいずれか一項に記載の電力を供給し、検出する回路。
【請求項１０】
請求項６から９のいずれか一項に記載の電源および検出回路を備えたことを特徴とする電子装置。
【発明の詳細な説明】
【技術分野】
【０００１】
本発明は、電力ラインを装備する通信インターフェースを備える電子家庭用機器の分野に関する。詳細には、本発明は、電力ラインが活動化されないときに、インターフェースに対する周辺機器のアイテムの接続を検出する方法に関する。
【背景技術】
【０００２】
ＵＳＢインターフェースを検出することを特徴とする機器のアイテムに対するＵＳＢ周辺装置の接続を可能にする方法が存在する。第１の方法は、ＵＳＢバスのデータラインの電位の変動を検出することにあり、こうしたラインは、プルアップまたはプルダウン抵抗器を備える。別の方法は、製品のＵＳＢインターフェース上の、ＵＳＢバスの公称電圧Ｖ＿ＢＵＳに対応する電位の出現を検出することにある。
【０００３】
いくつかの方法は、走査されるフィーダラインまたはデータラインの異なる電位（または状態）を区別することができるように、電力供給される回路を必要とする。別の方法は、ＵＳＢインターフェースと、インターフェースに接続された周辺装置との間でプロトコルに従ってデータ交換が可能となるように、名目上はＵＳＢバスに電力供給することを必要とする。
【発明の概要】
【発明が解決しようとする課題】
【０００４】
しかし、家庭用機器の電力消費を削減する制約がますます高くなっており、その電力消費を削減するためにこれから数年のうちに適用しなければならない公的指示が、可能な場合はどこでも、消費を削減することを要求する。
【課題を解決するための手段】
【０００５】
本発明は、具体的には装置のアイテムが低消費モードまたはスタンバイモードで構成されるために、またはインターフェースの公称電圧が印加されないとき、および残留電圧がインターフェースの電力ライン上に存続するときに、装置のアイテムがその公称電圧によって電力供給されないとき、装置のアイテムのＵＳＢインターフェースに対するＵＳＢ周辺装置の接続を検出する方法を提案することにより、状況の改善を可能にする。
【０００６】
より具体的には、本発明は、電子装置の通信インターフェースに対する周辺装置の接続を検出する方法に関し、通信インターフェースは、周辺装置に電力を供給する電圧電力ラインを備え、動作電圧値の範囲内の公称値が、電力ラインに関連付けられ、方法は、
電子装置による、電力ラインの動作電圧値の範囲の間に含まれる公称電圧の印加のステップと、
電子装置による、電力ラインに印加される公称動作電圧の取り消しのステップと、
公称電圧値の閾値よりも低い残留電圧の存在下での、電力ライン上での、インターフェースに対する周辺装置の接続の結果として生じる過渡的信号の検出のステップと、
検出した過渡的信号に従う制御信号の生成のステップと、
生成した制御信号に従う、電圧電力ラインに対する公称電圧の印加のステップと
を含む。
【０００７】
ＵＳＢ通信インターフェースでは、例えば、電力ラインは一般にＶ＿ＢＵＳと呼ばれる。
【０００８】
本発明の一実施形態によれば、通信インターフェースは、ユニバーサルシリアルバス規格と互換性がある。
【０００９】
本発明の一実施形態によれば、残留電圧は専用電源回路によって生成される。
【００１０】
本発明の一実施形態によれば、閾値は公称電圧の１０％以下である。
【００１１】
本発明の一実施形態によれば、過渡的信号は、残留電圧の電圧降下である。
【００１２】
本発明は、電力を供給し、電子装置の通信インターフェースに対する周辺装置の接続を電子装置で検出する回路に関し、通信インターフェースは、周辺装置に電力を供給する電圧電力ラインを備え、動作電圧値の公称範囲が、電力ラインに関連付けられ、検出回路は、
前記電子装置による、前記電力ラインの公称動作電圧値の前記範囲の間に含まれる公称電圧の印加のための電圧発生機回路と、
前記公称電圧値の閾値よりも低い残留電圧の存在下での、前記インターフェースに対する前記周辺装置の前記接続の結果として生じる過渡的信号の検出回路と、
検出した過渡的信号に従う、制御信号の発生回路と
を備える。
【００１３】
本発明の一実施形態によれば、電圧電力ラインＶ＿ＢＵＳが、ユニバーサルシリアルバス規格と互換性のあるコネクタに印加される。
【００１４】
本発明はさらに、上述のような電源を供給し、検出する回路を備える任意の電子装置に関する。
【００１５】
添付の図面への参照を行う以下の説明を読むときに、本発明をより良く理解し、他の特定の特徴および利点が明らかとなるであろう。
【図面の簡単な説明】
【００１６】
【図１】本発明の一実施形態による接続検出回路を備える、ＵＳＢ規格と互換性のある通信インターフェースを備えるデジタルテレビジョンの受信機−デコーダのタイプの電子機器のアイテムを示す図である。
【図２】図１のＵＳＢインターフェースの接続検出回路を示す図である。
【図３】図１に示す機器のインターフェースに対するＵＳＢ周辺装置の接続と、その後に続く、図２に示す検出回路による周辺装置の検出と、インターフェースの起動とに対応するシーケンスを示す図である。
【図４】検出および起動方法のステップを示すダイアグラムである。
【発明を実施するための形態】
【００１７】
図１から３では、示されるモジュールは、物理的に区別可能なユニットに対応する、または対応しないことがある機能単位である。例えば、これらのモジュールまたはその一部が、単一の構成要素として共にグループ化され、または同一のソフトウェアの機能を構成する。一方、別の実施形態によれば、いくつかのモジュールは、別々の物理的実体からなる。
【００１８】
一般的ではあるが非限定的な方式では、本発明は、通信インターフェースに公称電力が供給されないときに、通信インターフェースに対する周辺装置の接続を検出する方法および回路に関する。したがって、検出は、公称モードでインターフェースの電源の起動をイネーブルする。有利には、これは、公称モードで通信インターフェースに電力を供給する必要を回避し、周辺装置の接続の検出時にその使用を可能にする。重要な利点は、その結果としてこれがエネルギー消費を制限する助けとなることである。
【００１９】
「公称モード」は、電圧がその公称値の周りの値の範囲の間に含まれる電源モードを意味すると理解される。一例は、公称電圧５ボルトでは、４．５ボルトから５．５ボルトまでの電圧の範囲の間に含まれる電圧の印加である。本発明の説明では、公称値電圧が、それが電力供給する装置（複数可）またはモジュールの通常の動作をイネーブルする電圧と定義されることに留意されたい。例えば、ＵＳＢ通信インターフェースでは、公称電圧は、インターフェースの公称（または通常）動作、具体的にはホスト機器と接続された周辺装置との間のデータの交換に適合された電圧である。
【００２０】
図１に、本発明の好ましい実施形態による、例えばデジタルテレビジョンの受信機−デコーダのタイプの電子機器ＳＴＢ  １０のアイテムを示す。電子機器のアイテムは、マザーボードとも呼ばれるメインボードＭＢ  ９、ならびに電源モジュールＰＳＵ  １、入力モジュールＩＮＰ  １８、および出力モジュールＯＵＴ  １９を備える。マザーボードＭＢ  ９は、とりわけ、電力インターフェースＵＳＢＰＩ  ３、バスＵＳＢ−ＢＵＳ  １６、検出回路ＤＥＴ  ８、およびコネクタＵＳＢ  Ｃ３  ５から構成されるＵＳＢ通信インターフェースを備える。検出回路ＤＥＴ  ８は、検出バスＵＳＢ−ＤＥＴによってバスＵＳＢ−ＢＵＳ  １６に接続される。
【００２１】
マザーボードは、機器ＳＴＢ  １０のアイテムに関する制御および処理装置として働くコア回路ＣＵ  ２を備える。マザーボードＭＢ  ９はまた、スタンバイ（または低消費）モード管理回路ＫＤＢ  ４をも備える。回路ＫＤＢ  ４は、マザーボードＭＢ  ９のインターフェースＵＳＢの電力インターフェースＵＳＢ  ＰＩ  ３の電力ラインＰＬ２  １２、さらにはマザーボードＭＢ  ９の制御ユニットＣＵ  ２の電力ラインＰＬ１  １１などの、電源モジュールＰＳＵ  １の出力でのいくつかの電力ラインの制御された活動化をイネーブルする信号ＰＣＴＲＬ  １４を制御する。信号ＰＬＡ  １３は、電源モジュールＰＳＵ  １の状態、すなわちスタンバイ（または低消費）モードでの構成か否かを管理回路ＫＤＢ  ４に通知する。すべてのラインＰＬ１  １１、ＰＬ２  １２、ＰＬＡ  １３、およびＰＣＴＲＬ  １４が、コネクタＣ２  ６によってマザーボードＭＢ  ９に接続される。周辺装置ＵＳＢ  ＤＥＴ  ８の検出回路は、信号ＰＣＴＲＬ  １４に接続され、電力ラインＰＬ１  １１およびＰＬ２  １２の制御された活動化を可能にする信号ＵＳＢ−ＣＴＲＬ  １５を供給する。
【００２２】
入力モジュールＩＮＰ  １８は、入力リンクＬ１  ２０によって受信されたデジタルテレビジョン信号の受信および復調のために有用なすべての回路を備える。出力モジュールＯＵＴ  １９は、例えばテレビジョンセットなどの外部回復装置（ここでは図示せず）にオーディオおよびビデオ信号を供給する。信号はリンクＬ２  ２１によって搬送され、リンクＬ２  ２１は、例えばＳＣＡＲＴコネクタまたはＨＤＭＩ（登録商標）ケーブルでよい。制御ユニットＣＵ  ２と、それぞれ入力ＩＮＰ  １８および出力ＯＵＴ  １９モジュールとの間で交換されるすべての信号は、相互接続バスＢＵＳ  １７によって搬送される。制御ユニットＣＵ  ２は、デジタルテレビジョンのためのオーディオビジュアル番組の伝送に特有の方法を使用して符号化されたオーディオビジュアルコンテンツの受信および復号化機能のために必要なすべての回路を備える。濾波、多重分離、記憶、復号化、および信号ルーティング動作をグローバルに実施するこれらの回路は、ここでは図示されず、当業者は周知であり、本発明の理解には必要ではない。
【００２３】
電源モジュールＰＳＵ  １は、コネクタＣ１  ７による主電流によって電力供給される。
【００２４】
本発明の好ましい実施形態によれば、受信機−デコーダ機器ＳＴＢ  １０がスタンバイモードで構成されるとき、電力ラインＰＬ１  １１およびＰＬ２  １２がディスエーブルされる。ＵＳＢ通信インターフェースの電力インターフェースＵＳＢＰＩ  ３に電力供給する電力ラインＰＬ２  １２は、名目上は供給されないが、例えば回路の１または複数の電気的特性によってその存在が可能にされる残留電圧を搬送する。それは、有利にはこの目的で設計および較正された貯蔵コンデンサの存在、さらには寄生コンデンサの巧みな使用でよい。
【００２５】
本発明の変形実施形態によれば、残留電圧は、回路に特有の電気的特性から来るのではなく、この使用のために設計された特定の電力ライン２００から来る。
【００２６】
周辺装置がコネクタＣ３  ５上の通信インターフェースに接続されるとき、残留電圧の存在は、バスＵＳＢ−ＢＵＳ  １６上の過渡的信号の出現に寄与する。
【００２７】
「グリッチ」とも呼ばれる過渡的信号は、検出回路ＤＥＴ  ８によって増幅され、較正後の信号ＵＳＢ−ＣＴＲＬ  １５がモジュールＰＳＵ  １の入力で制御信号ＰＣＴＲＬ  １４として使用される検出モジュールＤＥＴ  ８の出力で利用可能となるようにフォーマットされる。モジュールＰＳＵ  １の入力での信号ＰＣＴＲＬ  １４の活動化により、電力ラインＰＬ２  １２が活動化され、したがって電力ラインＰＬ２  １２は、ＵＳＢ通信インターフェースの使用、特に受信機−デコーダＳＴＢ  １０の制御ユニットＣＵ２と、インターフェースＵＳＢのコネクタＣ３  ５に接続されたＵＳＢ周辺装置との間のデータの交換の満足の行く公称電圧を搬送する。周辺装置ＵＳＢは、例えばＵＳＢキー、外部ハードディスク、または通信インターフェースと互換性のある記憶媒体でよい。
【００２８】
図２に、図１に現れる検出回路ＤＥＴ  ８、ならびに受信機−デコーダＳＴＢ  １０がスタンバイまたは低消費モードで構成されるときを含む、それに供給することを可能にする電力回路２００の詳細を示す。電源２１０は、図１に示されるモジュールＰＳＵ  １内に含まれ、この目的で制御されるときに、ラインＰＬ２  １２上に公称電圧を供給する。次いで、この公称電圧が、受信機−デコーダＳＴＢ  １０のＵＳＢ通信インターフェースの電力インターフェースＵＳＢＰＩ  ３に印加される。モジュール２３０は、ＵＳＢインターフェースの電力ラインに接続されたＵＳＢ周辺装置を示す。モジュール２２０は、ＵＳＢインターフェースの電力ラインの電気的特性（抵抗性および容量性）を示す。
【００２９】
本発明の特定の非限定的な実施形態によれば、電力回路２００は、電力回路２１０のサブアセンブリである。
【００３０】
受信機−デコーダＳＴＢ  １０のＵＳＢソケットＣ３  ５に対して接続されたＵＳＢ周辺装置の接続を検出するように適合された検出モジュールＤＥＴ  ８は、３つのメインモジュール８１０、８２０、および８３０から構成される。
【００３１】
モジュール８１０は、ＵＳＢソケットに対する周辺装置の接続の結果として現れる過渡的信号（またはグリッチ）の増幅に適合された増幅器である。
【００３２】
モジュール８２０は、増幅器８１０によって増幅された増幅後過渡的信号からピーク較正後信号を形成する単安定である。
【００３３】
モジュール８３０は、ＵＳＢバスの電力ラインが公称電圧で供給されるときに、出力での過渡的信号の検出を抑制するＮＯＲゲート回路を構成する。受信機−デコーダ機器ＳＴＢ  １０がスタンバイモードで構成されず、ＵＳＢインターフェース（またはバス）の電力ラインが公称値電圧で供給されるとき、接続されたばかりの周辺装置の検出が、ホストの主導で、すなわち受信機−デコーダＳＴＢの制御ユニットＣＵ  ２の主導で、例えば列挙段階または宣言段階などの事前定義されたプロトコルに従うデータ交換によって達成されることに留意されたい。この場合、プロトコル交換が、ソフトウェア制御下で最も頻繁に実施される。
【００３４】
したがって、本発明の好ましい実施形態による周辺装置の接続を検出する方法は、放電されるコンデンサが少なくとも部分的に充電された別のコンデンサに突然に接続されるときに必然的に生じる過渡的信号の検出に依拠する。接続の瞬間に現れる電圧は、関係するコンデンサのＥＳＲ値（等価直列抵抗）の比に依存する。ＵＳＢ規格と互換性のある通信インターフェースのコンテキスト内で、考慮するコンデンサは一般に、約１２０ｕＦの値を有する電解コンデンサである。このタイプのコンデンサでは、通常のＥＳＲ値は、２５０から５００ミリオーム（ｍｏｈｍ）程度である。ほとんどの場合、小さいセラミックコンデンサが、ＥＳＲ値６ｍｏｈｍを有する１０ｕＦコンデンサと並列に接続される。ＵＳＢ周辺装置も、入力で、一般的なＥＳＲ値３０ｍｏｈｍについて１ｕＦ程度の、その等価なコンデンサを有する。ＵＳＢ規格は、ホット接続（インターフェースが公称値電圧で供給されるとき）のために１０ｕＦ程度の１０ｕＦ化学コンデンサを使用することを指定し、これは、一般に３０ミリオームよりも大きいＥＳＲに対応する。ＵＳＢ周辺装置のコンデンサのＥＳＲ値をより厳密に確立するために、ワイヤの抵抗値および関連する接触抵抗を加えなければならず、それは一般には３０ミリオームよりも大きい。
【００３５】
これを考慮して、ＵＳＢインターフェースの電力ラインに対する周辺装置の接続に固有の電圧降下の値を、１次近似で以下の式から計算することができる。
Ｖ０×（１−（Ｒｃｕ＋Ｒｃｌ）／（Ｒｃｕ＋Ｒｃｌ＋Ｒｃ２））
上式で、Ｖ０は、ＵＳＢインターフェースの電力ラインに印加される残留電圧である。
【００３６】
Ｖ０は、ＵＳＢインターフェースの電力ラインの公称電圧値の閾値未満である。
【００３７】
ＵＳＢインターフェースに関する閾値の一例は、例えば公称値の１０％、すなわち０．５ボルトである。
【００３８】
ＲｃｌおよびＲｃ２は、それぞれＵＳＢ周辺装置に接続されるコンデンサ、およびＵＳＢインターフェースの電力ラインの小さいセラミックコンデンサのＥＳＲ値である。
【００３９】
Ｒｃｕは、電力ラインのワイヤの等価な抵抗および接触抵抗である。
【００４０】
このことは一般に、接続中の電圧降下が０．９１×Ｖ０程度であることを考慮することを意味する。
【００４１】
従来技術によれば、ＵＳＢ規格と互換性のある通信インターフェースの電力ライン上に残留電圧は存在しない。しかし、周辺装置の接続の結果として生じる、電圧降下のタイプの過渡的信号を検出するために、低電位が必要である。このような理由で、本発明の好ましい実施形態によれば、例えば受信機−デコーダＳＴＢ  １０がスタンバイモードにあるときのように、それが名目上は電力供給されないときに、１５０ｍＶ程度の残留電圧がＵＳＢインターフェースの電力ラインに印加される。したがって、この残留電圧約１５０ｍＶは、１４ｍＶ（０．０９×１５０ｍＶ）程度の過渡的電圧降下の出現を可能にする。この過渡的電圧降下が、検出回路ＤＥＴ  ８の増幅器モジュール８１０によって増幅され、単安定モジュール８２０によってフォーマットされ、検出モジュールＤＥＴ  ８の出力で信号ＵＳＢ−ＣＴＲＬ  １５が生成される。次いで、この信号が、信号ＰＣＴＲＬ  １４と共役され、または直接的にケーブリングされ、信号ＰＣＴＲＬ  １４は、電源モジュールＰＳＵ  １の出力で電力ライン、特にＵＳＢインターフェースの電力ラインに電力を供給するために使用される電力ラインＰＬ２  １２の活動化を制御する。
【００４２】
したがって、電源２００および検出ＤＥＴ  ８回路は、受信機−デコーダＳＴＢ  １０のタイプの電子装置のＵＳＢ通信インターフェースに対する周辺装置の接続を検出することができ、ＵＳＢ通信インターフェースは、周辺装置に電力を供給する電圧電力ラインＶ＿ＢＵＳを含み、公称動作電圧値が電力ラインに関連付けられ、方法は、
電子装置ＳＴＢ  １０による、例えば５ボルトなどの電力ラインＶ＿ＢＵＳの公称動作電圧値の範囲の間に含まれる公称電圧の印加のステップと、
電子装置ＳＴＢ  １０による、電源モジュールＰＳＵ  １を介する、電力ラインＶ＿ＢＵＳに印加される公称動作電圧の取り消しのステップと、
前記公称電圧値の閾値よりも低い残留電圧の存在下での、電力ラインＶ＿ＢＵＳ上の、ＵＳＢインターフェースに対する周辺装置の接続の結果として生じる過渡的電圧降下の例えば１５０ｍＶなどの検出のステップであって、電圧降下が一般に、この場合は１４ｍＶ程度であるステップと、
本発明の好ましい実施形態による、平均で１４ｍＶの過渡的電圧降下である、検出した過渡的信号に従う制御信号ＵＳＢ−ＣＴＲＬの生成のステップと、
検出回路ＤＥＴ  ８の出力で生成された制御信号ＵＳＢ−ＣＴＲＬに従う、電圧電力ラインＶ＿ＢＵＳに対する公称電圧５ボルトの印加のステップと
を含む。
【００４３】
電子装置ＳＴＢ  １０内の検出回路ＤＥＴ  ８は、電子装置ＳＴＢ  １０のＵＳＢ通信インターフェースに対する周辺装置の接続の検出に適合され、通信インターフェースは、周辺装置の供給のための電圧電力ラインＶ＿ＢＵＳを含み、公称動作電圧値の範囲は、この電力ラインに関連付けられ、検出回路ＤＥＴ  ８が、電子装置ＳＴＢ  １０による、その電源モジュールＰＳＵ  １を介する、公称動作電圧値の範囲内に含まれる公称電圧の印加のための電圧発生機回路に関連付けられる。モジュールＤＥＴ  ８はさらに、電子装置ＳＴＢ  １０のＵＳＢ通信インターフェースに対する周辺装置の接続の結果として生じる過渡的電圧降下（過渡的信号とも呼ばれる）の、例えば１５０ｍＶなどの公称電圧値の閾値未満の残留電圧の存在下で、検出回路を構成する。モジュールＤＥＴ  ８は、検出した過渡的電圧降下に従う制御信号ＵＳＢ−ＣＴＲＬ  １５の発生回路を備える。
【００４４】
図３に、受信機−デコーダＳＴＢ  １０のＵＳＢインターフェースのコネクタＣ３  ５に接続された周辺装置の検出を示す。
【００４５】
時刻ｔ１で、周辺装置がコネクタＣ３  ５に接続されるのに対して、電力ラインは、５ボルトに等しいＵＳＢバスの公称電源電圧値よりずっと下の、１５０ｍＶ程度の残留電圧のみを供給する。次いで、過渡的信号とみなされる過渡的電圧降下が電力ライン上に現れる。この電圧降下が検出回路ＤＥＴ  ８によって増幅され、フォーマットされる。この結果、時刻ｔ２までの、本発明の好ましい実施形態に従う１０ｍｓ以上の期間について較正された信号ＵＳＢ−ＣＴＲＬ  １５が活動化される。次いで、この信号ＵＳＢ−ＣＴＲＬ  １５が電源モジュールＰＳＵ  １に送られ、電源モジュールＰＳＵ  １は、時刻ｔ３からラインＰＬ１  １１およびＰＬ２  １２を活動化する。ＵＳＢバスＵＳＢ−ＢＵＳ  １６の電力ラインＶ＿ＢＵＳは、電力インターフェース回路ＵＳＢＰＩ  ３により、電力ラインＰＬ２  １２の状態に依存する。
【００４６】
時刻ｔ４で、第２の周辺装置が接続されるのに対して、電力ラインＶ＿ＢＵＳは、５ボルト程度のその公称値で電力供給される。この場合、信号ＵＳＢ−ＣＴＲＬは、モジュールＮＯＲ  ８３０の結果として検出回路ＤＥＴ  ８の出力で活動化されないことに留意されたい。
【００４７】
図４は、方法の主なステップを表すダイアグラムである。ステップＳ０は、受信機デコーダ機器ＳＴＢ  １０のスタンバイモード構成に対応する。例えば、ユーザからのコマンドに続いてスタンバイモードに入る。スタンバイモードでの入力コマンドの検出に続いて、リモートコントロール受信機にリンクされるモジュールＫＤＢ  ４が、電源モジュールＰＳＵ  １を制御して、機器ＳＴＢのセットをスタンバイモードで構成し、その電気消費を低下させる。信号ＰＣＴＲ  １４は、この目的のために設定され、電源モジュールＰＳＵ  １は、電力ラインＰＬ１  １１およびＰＬ２  １２上の公称電圧の供給を中止し、したがってマザーボードＭＢ  ９のいくつかの回路を非活動化し、これはスタンバイモード構成に対応する。
【００４８】
したがって、この構成では、残留電圧は、ラインＰＬ２  １２上でステップＳ１から存続する。本発明の好ましい実施形態によれば、この残留電圧は、１５０ｍＶ程度であり、貯蔵コンデンサを含む回路によって生成される。変形形態によれば、この目的で、具体的には電圧発生機回路が電源モジュールＰＳＵ  １内部に設けられる。
【００４９】
この電圧がＵＳＢ通信インターフェースの電力インターフェースＵＳＢＰＩ  ３の入力に印加され、ＵＳＢバスＵＳＢ−ＢＵＳ  １６の電力ラインＶ＿ＢＵＳ上にも見出される。
【００５０】
ラインＶ＿ＢＵＳは、機器ＳＴＢ  １０のアイテムのコネクタＵＳＢ  Ｃ３  ５に接続される。
【００５１】
ステップＳ２で、周辺装置がコネクタＵＳＢ  Ｃ３  ５に接続されるとき、「グリッチ」が検出回路ＤＥＴ  ８によって検出され、それが、ステップＳ３で、検出回路の出力で信号ＵＳＢ−ＣＴＲＬ  １５を活動化させる効果を有する。信号ＵＳＢ−ＣＴＲＬ  １５が、電源モジュールＰＣＴＲＬ  １４の制御信号に結合され、したがって、スタンバイモードの外側の通常の動作モードである通常の電源モードでのその構成のためにモジュールＰＳＵを制御することができ、そこではマザーボードＭＢ  ９のすべての機能が利用可能である。制御信号ＵＳＢ−ＣＴＲＬ  １５およびＰＣＴＲＬ  １４を結合する方法は、本発明の理解には必要ではなく、ここでは詳述されない。
【００５２】
ステップＳ４で、モジュールＰＳＵ  １が公称モードで構成され、公称電圧が電力ラインＰＬ１  １１およびＰＬ２  １２上で利用可能である。この場合、本発明の実施形態によれば、バスＵＳＢ−ＢＵＳ  １６の電圧Ｖ＿ＢＵＳの公称値が、４．５から５．５ボルトの間の電圧値の範囲内に含まれ、通常は５ボルトに等しい。この電圧が、ＵＳＢ通信インターフェースのコネクタＣ３  ５上で利用可能であり、接続された周辺装置に電力供給することができる。制御ユニットも電力供給され、それはＵＳＢ通信インターフェースの論理制御を可能にする。次いで、ステップＳ０での新しいスタンバイモード構成まで、通信インターフェースの使用が可能となる。
【００５３】
モジュール２、３、５、および８によって構成されるインターフェースＵＳＢ上の周辺装置の接続に続いてスタンバイモードを終了することにより、ステップＳ４に対応する、機器ＳＴＢ  １０のアイテムの通常モード構成を行うことができるが、通常モードに対する任意の他の構成手段によって行うこともできることに留意されたい。通常モードでの（に対する）他の構成手段は、例えば、（キーパッドまたはリモートコントロールのボタンを押すことによる）スタンバイモードを終了するためのユーザの操作、機器のプログラムされたウェイクアップ、さらには起動後の初期化である。
【００５４】
本発明は、上述の実施形態に制限されず、周辺装置の接続による通信インターフェースの電力ライン上に誘導された電圧ゆらぎの検出を可能にする任意の回路にも適用され、接続は、インターフェースがスタンバイまたは低消費モードで構成されるとき、したがってインターフェースの電力ラインがその公称値よりずっと下の残留電圧（例えば、通常モードでの電力供給電圧の公称値の２０％未満）を供給するだけのときに行われる。
【００５５】
実施形態の変形形態によれば、インターフェースのいくつかの動作モードにそれぞれ対応する、公称電圧のいくつかの値を搬送するように適合された電圧ラインによってインターフェースに電力供給することができる。この場合、記載の残留電圧が、公称電圧値のうちの１つ、優先的にはこれらの値の最小値を参照して定義される。
【００５６】
実施形態の変形形態によれば、検出される過渡的信号は、残留電圧の変動またはゆらぎではない。この変形形態によれば、残留電圧が、事前定義された周波数で較正された周期的波動の形で印加される。したがって、周期的波動の周波数の変動によって周辺装置の接続を検出することができ、したがって変動は、適合された検出回路によって検出される。
【００５７】
実施形態の別の変形形態によれば、検出された過渡的信号は、電流変動に対応する。
【００５８】
上記で詳述した実施形態は、テレビジョン受信機−デコーダ機器のタイプのアイテムで本発明を説明する。しかし、本発明は、もっぱらこのタイプの機器に適用されるのではなく、例えば、ＦｉｒｅＷｉｒｅインターフェース（ＩＥＥＥ１３９４）、ＨＤＭＩインターフェース（高精細度マルチメディアインターフェース）、ＰｏＥインターフェース（パワーオンイーサネット）、さらにはオンボード機器の相互接続を可能にする車両内の通信インターフェースなどのインターフェースに接続された外部周辺装置に電力供給するように設計された電力ラインを有する通信インターフェースを備える任意の機器に適用される。
【００５９】
本発明はまた、例えば、オフィスコンピュータ、ポータブルコンピュータ、タブレット、テレビジョンセット、ハイファイシステム、ブロードバンド通信ネットワークへのアクセスゲートウェイ、カーラジオ、家庭用途向けラジオ、トランシーバ装置、パーソナル音楽プレーヤ、オーディオビジュアルコンテンツのプロジェクタ、スチルカメラ、カムコーダ、カメラ、計測機器のアイテム、医療診断または医療監視機器のアイテムにも適用される。
【図１】
2014139773.tif 000003
【図２】
2014139773.tif 000004
【図３】
2014139773.tif 000005
【図４】
2014139773.tif 000006
【外国語明細書】
2014139773000001.pdf